(57)【要約】【課題】安全かつ簡単に被洗浄対象部の洗浄が可能なミクロ洗浄器を提供すること。【解決手段】ミクロ洗浄器１０は、被洗浄対象部１２内へ洗浄液を注入する洗浄液注入シリンジ１４と、被洗浄対象部１２内から廃液を吸引する廃液吸引シリンジ１６とが並列に連結して構成される。そして、各シリンジ１４、１６は、シリンダ本体１８、３２と、ピストン２０，３４と、ニードル管２２、３６と、液体の逆流を防ぐ逆止弁２８、３０、４２、４４と、を備える。【選択図】図１
2008107128.tif 000002
【特許請求の範囲】
【請求項１】
被洗浄対象部内へ洗浄液を注入する洗浄液注入シリンジと、
前記被洗浄対象部内から廃液を吸引する廃液吸引シリンジと、
を備え、
洗浄液注入シリンジは、
シリンダ本体と、
シリンダ本体内で往復移動可能に保持されたピストンと、
シリンダ本体と接続され、被洗浄対象部内に洗浄液を注入する洗浄液注入ニードル管と、
シリンダ本体と洗浄液注入ニードル管の間に設けられ、洗浄液吐出ニードル管からシリンダ本体への洗浄液の逆流を防ぐ逆止弁と、
シリンダ本体と連結され、シリンダ本体内へ洗浄液を導く洗浄液吸引チューブと、
洗浄液注入チューブとシリンダ本体との間に設けられ、シリンダ本体から洗浄液吸引チューブへの洗浄液の逆流を防ぐ逆止弁と、を含み、
廃液吸引シリンジは、
シリンダ本体と、
該シリンダ本体内で往復移動可能に保持されたピストンと、
シリンダ本体と接続され、被洗浄対象部内から廃液を吸引する廃液吸引ニードル管と、
シリンダ本体と廃液吸引ニードル管の間に設けられ、シリンダ本体から廃液吸引ニードル管への廃液の逆流を防ぐ逆止弁と、
シリンダ本体と連結され、シリンダ本体から廃液を排出する廃液排出チューブと、
廃液吸引チューブとシリンダ本体との間に設けられ、廃液排出チューブからシリンダ本体への廃液の逆流を防ぐ逆止弁と、を含み、
前記洗浄液注入シリンジのシリンダ本体と、前記廃液吸引シリンジのシリンダ本体とが並列に連結されていることを特徴とするミクロ洗浄器。
【請求項２】
請求項１記載のミクロ洗浄器において、
前記洗浄液注入シリンジは、ピストンへ外部から力が加わっていないときに、該ピストンを押し出した状態に保つ付勢部材を備え、
前記廃液吸引シリンジは、ピストンへ外部から力が加わっていないときに、該ピストンをシリンジから押し出した状態に保つ付勢部材を備えたことを特徴とするミクロ洗浄器。
【発明の詳細な説明】
【技術分野】
【０００１】
本発明は、光学測定用のミクロ洗浄器に関する。
【背景技術】
【０００２】
光学測定用に使用されるミクロセルや光路長１ｍｍ程度の薄いセルは、溶液試料を入れるスペースが狭いため、入っている液を捨てたり、洗浄液を入れたりすることが困難で、非常に洗浄がしづらい。従来、これらのセル等の被洗浄対象部を洗浄するための専用の機器はなく、例えば、汎用の超音波洗浄機で洗浄を行なっていた。
【発明の開示】
【発明が解決しようとする課題】
【０００３】
しかし、超音波洗浄機では多量の洗浄溶媒が必要であり、また、洗浄溶媒が揮発しやすく、洗浄後にセルを取り出したり拭いたりするときに手に溶媒が触れるため溶媒の種類によっては危険であった。そのため、より安全かつ簡単にセル等の被洗浄対象部の洗浄を行なうことのできる洗浄器具が望まれていた。
本発明は上記課題に鑑みなされたものであり、その目的は安全かつ簡単に被洗浄対象部の洗浄が可能なミクロ洗浄器を提供することにある。
【課題を解決するための手段】
【０００４】
上記目的を達成するため、本発明にかかるミクロ洗浄器は、被洗浄対象容部内へ洗浄液を注入する洗浄液注入シリンジと、前記被洗浄対象部内から廃液を吸引する廃液吸引シリンジと、を備える。洗浄液注入シリンジは、シリンダ本体と、シリンダ本体内で往復移動可能に保持されたピストンと、シリンダ本体と接続され、被洗浄対象部内に洗浄液を注入する洗浄液注入ニードル管と、シリンダ本体と洗浄液注入ニードル管の間に設けられ、洗浄液吐出ニードル管からシリンダ本体への洗浄液の逆流を防ぐ逆止弁と、シリンダ本体と連結され、シリンダ本体内へ洗浄液を導く洗浄液吸引チューブと、洗浄液注入チューブとシリンダ本体との間に設けられ、シリンダ本体から洗浄液吸引チューブへの洗浄液の逆流を防ぐ逆止弁と、を含む。また、廃液吸引シリンジは、シリンダ本体と、該シリンダ本体内で往復移動可能に保持されたピストンと、シリンダ本体と接続され、被洗浄対象部内から廃液を吸引する廃液吸引ニードル管と、シリンダ本体と廃液吸引ニードル管の間に設けられ、シリンダ本体から廃液吸引ニードル管への廃液の逆流を防ぐ逆止弁と、シリンダ本体と連結され、シリンダ本体から廃液を排出する廃液排出チューブと、廃液吸引チューブとシリンダ本体との間に設けられ、廃液排出チューブからシリンダ本体への廃液の逆流を防ぐ逆止弁と、を含む。そして、洗浄液注入シリンジのシリンダ本体と、前記廃液吸引シリンジのシリンダ本体とは、並列に連結されている。
【０００５】
上記のミクロ洗浄器において、前記洗浄液注入シリンジは、ピストンへ外部から力が加わっていないときに、該ピストンを押し出した状態に保つ付勢部材を備え、また、前記廃液吸引シリンジは、ピストンへ外部から力が加わっていないときに、該ピストンをシリンジから押し出した状態に保つ付勢部材を備えることが好適である。
【０００６】
本発明の被洗浄対象部としては、ミクロセルや薄いセルが特に好ましいが、これらのセル以外にも、洗浄の必要な狭いところや局所等が含まれる。
【発明の効果】
【０００７】
本発明にかかるミクロ洗浄器によれば、簡単な操作で安全に被洗浄対象部の洗浄を行なうことができる。
【発明を実施するための最良の形態】
【０００８】
以下に図面を参照して本発明の好適な実施形態について説明する。
図１は、本発明の実施形態にかかるミクロ洗浄器の概略構成図である。ミクロ洗浄器１０は、洗浄対象のセル（被洗浄対象部）１２へ洗浄液を注入するための洗浄液注入シリンジ１４と、セル１２内から、試料溶液や使用後の洗浄液等の廃液を吸引するための廃液吸引シリンジ１６と、が並列に並んだ形で連結されて構成されたものである
【０００９】
洗浄液注入シリンジ１４は、シリンダ本体１８と、ピストン２０と、洗浄液注入ニードル管２２と、洗浄液吸引チューブ２４と、を備えている。ピストン２０はシリンダ本体１８内で往復運動可能に保持され、ピストン２０の移動によりシリンダ本体１８内からの洗浄液の吐出、シリンダ本体１８内への洗浄液の注入を行なう。シリンダ本体１４には洗浄液注入ニードル２２管が接続され、このニードル管２２をセル１２内に挿入して洗浄液を注入する。また、シリンダ本体１８に接続された洗浄液吸引チューブ２４を通して、洗浄液が貯えられた洗浄液ビン２６内からシリンダ本体１８内へ洗浄液を導入する。
【００１０】
シリンダ本体１８と洗浄液注入ニードル管２２の間には逆止弁２８が設けられており、洗浄液吐出ニードル管２２からシリンダ本体１８への洗浄液の逆流を防ぐ。また、洗浄液注入チューブ２４とシリンダ本体１８の間にも逆止弁３０が設けられ、シリンダ本体１８から洗浄液吸引チューブ２４への洗浄液の逆流を防いでいる。
【００１１】
これらの逆止弁２８、３０はそれぞれ、例えばゴム弾性素材よりなるダックビル式逆止弁であり、流路と接続される筒部２８ａ，３０ａと、ダックビル状のリップ部２８ｂ，３０ｂとで構成されている。リップ部２８ｂ，３０ｂはそれぞれ、一対のテーパ部２８ｃ，３０ｃと、テーパ部２８ｃ，３０ｃの先端に孔２８ｄ，３０ｄと、備えている。
そして、これらの逆止弁２８、３０はそれぞれ、順方向の差圧下ではテーパ部２８ｃ，３０ｃが互いに離隔するので、孔２８ｄ，３０ｄを開口し、開弁することができる。一方、逆止弁２８、３０はそれぞれ、逆方向の差圧下ではテーパ部２８ｃ，３０ｃが互いに密着し、孔２８ｄ，３０ｄを閉塞するので閉弁することができる。
【００１２】
廃液吸引シリンジ１６は、シリンダ本体３２と、シリンダ本体３２内で往復移動可能に保持されたピストン３４と、シリンダ本体３２と接続された廃液吸引ニードル管３６と、シリンダ本体３２と連結された廃液排出チューブ３６と、を備える。廃液吸引ニードル管３６はセル１２に挿入され、ニードル管３６を通してセル１２内から廃液が吸引される。シリンダ本体３２内に吸引された廃液は廃液排出チューブ３６を通して、廃液ビン４０へ排出される。
【００１３】
シリンダ本体３６と廃液吸引ニードル管３６の間に逆止弁４２が設けられており、シリンダ本体３６から廃液吸引ニードル管３６への廃液の逆流を防いでいる。また、廃液吸引チューブ３８とシリンダ本体３２との間にも逆止弁４４が設けられており、廃液排出チューブ３８からシリンダ本体３２への廃液の逆流を防いでいる。これらの逆止弁４２、４４は、上記の逆止弁２８等と同様に、例えばゴム弾性素材よりなるダックビル式逆止弁であり、流路と接続される筒部４２ａ，４４ａと、ダックビル状のリップ部４２ｂ，４４ｂとで構成されている。リップ部４２ｂ，４４ｂはそれぞれ、一対のテーパ部４２ｃ，４４ｃと、テーパ部４２ｃ，４４ｃの先端に孔４２ｄ，４２ｄと、備えている。
【００１４】
洗浄液注入シリンジ１４のシリンダ本体１８と、廃液吸引シリンジ１６のシリンダ本体３２とは側面が合わさった形で連結されている。そして、洗浄液注入ニードル管２２と廃液吸引ニードル管３６も並列に配列される。なお、シリンダ本体１８とシリンダ本体３２とを一体形成してもよい。また、洗浄液注入ニードル管２２と廃液吸引ニードル管３６とを並列に束ねた形とすることも好適である。
【００１５】
さらに、洗浄液注入シリンジ１４のピストン２０に対して、ピストン２０へ外部から力が加わっていないときに、ピストン２０を押し出した状態に保つように、圧縮ばね４６（付勢部材）が設けられている。圧縮ばね４６は、シリンジ本体１８内部に設けられ、内部からピストン２０を押し上げている。こうすることで、使用者がピストンへ加える力を除くと、圧縮ばね２０により自動的にピストン２０が押し出された状態に戻る。
同様に、廃液吸引シリンジ３４のピストン３４に対しても、ピストン３４を押し出した状態に保つ圧縮ばね４８が設けられている。
【００１６】
また、幅色い液体試料、洗浄溶媒に対応するために、シリンダ本体、ニードル管、チューブ等の接液部分には、耐溶媒性の高い材質、例えばフッ素樹脂等を用いることが好適である。
【００１７】
以上が本実施形態のミクロ洗浄器の概略構成であり、以下にその作用を説明する。
図２Ａ、２Ｂは洗浄液をセル内に注入する工程を示したものである。図２Ａに示すように、シリンダ本体１８内からピストン２０を引き出す（圧縮ばね４６により押し出される）と、逆止弁３０が開放し、洗浄液ビン２６から洗浄液が洗浄液吸引チューブ２４を通ってシリンダ本体１８内に導入される。このとき、シリンダ本体１８と洗浄液注入ニードル管２２との間の逆止弁２８は閉じた状態にあるので、セル１２から洗浄液注入ニードル管２２へ廃液が流れ込むことはない。
【００１８】
次に図２Ｂに示すように、使用者がピストン２０をシリンダ本体１８内に押し込むと、逆止弁２８が開き、シリンダ本体１８内に貯えられた洗浄液が洗浄液注入ニードル管２２を通ってセル１２内に注入される。このときは、シリンダ本体１８と洗浄液吸引チューブ２４の間の逆止弁３０は閉じた状態にあるので、シリンダ本体１８から流れ出す洗浄液が洗浄液吸引チューブ２４へ逆流することはない。
【００１９】
図３Ａ、３Ｂは、セル内から廃液を吸引する工程を示したものである。図３Ａに示すように、シリンダ本体３２内からピストン３４を引き出す（圧縮ばね４８により押し出される）と、逆止弁４２が開放し、セル１２内の廃液が廃液吸引ニードル管３６を通してシリンダ本体３２内に吸引される。このとき、シリンダ本体３２と廃液排出チューブ３８との間の逆止弁４４は閉じた状態にあり、廃液排出チューブ３８からシリンダ本体３２へ廃液が逆流することはない。
【００２０】
次に使用者がピストン３４をシリンダ本体３２内に押し込むと、図３Ｂに示すように、逆止弁４４が開き、シリンダ本体３２内の廃液が廃液排出チューブ３８を通って廃液ビン４０へ排出される。このとき、シリンダ本体３２と廃液吸引ニードル管２６の間の逆止弁４２は閉じており、シリンダ本体３２内の廃液が廃液吸引ニードル管２６へ逆流するのを防いでいる。
【００２１】
使用者は、上記図２Ａ、２Ｂ、３Ａ、３Ｂに示した操作を繰り返すことで、セル内への洗浄液の注入、セル内の廃液の吸引を行い、セルの洗浄を行なう。このように、本実施形態のミクロ洗浄器によれば、使用者は洗浄液等に直接手を触れることなく安全かつ簡単にセルの洗浄を行なうことができる。また、セル内への洗浄液の注入、セル内からの廃液の吸引のために、洗浄液注入ニードル管、廃液吸引ニードル管を設けているため、小さなセルに対しても効率良く洗浄を行なうことができ、また、超音波洗浄と比較して少量の洗浄液での洗浄が可能である。
また、ピストンを押し出した状態に保つ付勢部材を備えているため、使用者は洗浄液注入シリンジのピストン、もしくは廃液吸引シリンジのピストンを押すという簡単な操作のみでセルの洗浄を行うことができ、操作性にも優れている。
【００２２】
なお、本実施形態では、図１等に示したセルの洗浄を行った例について説明したが、本発明はこれに限定されるものでなく、ミクロセルや薄いセルをはじめ、洗浄の必要な狭いところや局所であれば任意のところの洗浄を、従来方式に比較し、より好適に行うことができる。
【図面の簡単な説明】
【００２３】
【図１】本発明の実施形態にかかるミクロ洗浄器の概略構成図である。
【図２Ａ】本発明の実施形態にかかるミクロ洗浄器の動作の説明図であって、洗浄液ビンから洗浄液を吸引しているときの状態を示している。
【図２Ｂ】本発明の実施形態にかかるミクロ洗浄器の動作の説明図であって、洗浄液を被洗浄対象部に注入しているときの状態を示している。
【図３Ａ】本発明の実施形態にかかるミクロ洗浄器の動作の説明図であって、被洗浄対象部から廃液を吸引しているときの状態を示している。
【図３Ｂ】本発明の実施形態にかかるミクロ洗浄器の動作の説明図であって、廃液ビンへ廃液を吐出しているときの状態を示している。
【符号の説明】
【００２４】
１０        ミクロ洗浄器
１２        セル（被洗浄対象部）
１４        洗浄液注入シリンジ
１６        廃液吸引シリンジ
１８        シリンダ本体
２０        ピストン
２２        洗浄液注入ニードル管
２４        洗浄液吸引チューブ
２６        洗浄液ビン
２８        逆止弁
３０        逆止弁
３２        シリンダ本体３２
３４        ピストン
３６        廃液吸引ニードル管
３８        廃液排出チューブ
４０        廃液ビン
４２        逆止弁
４４        逆止弁
４６        圧縮ばね
４８        圧縮ばね
【図１】
2008107128.tif 000003
【図２Ａ】
2008107128.tif 000004
【図２Ｂ】
2008107128.tif 000005
【図３Ａ】
2008107128.tif 000006
【図３Ｂ】
2008107128.tif 000007